(57)【要約】【課題】画像形成装置の構造を複雑にすることなくまた製造などのコストを高くすることなく、転写ムラの軽減を図る。【解決手段】画像形成装置１に、画像をシートに印刷するための複数の色それぞれのトナーの、画像のトナー像のそれぞれが、形成される中間転写ベルト１５ａと、複数の色のうちの第一の所定の色のトナー像である所定トナー像の下地画像を、所定トナー像よりも先に、複数の色のうちの第一の所定の色以外の色のトナーである下地用トナーによって中間転写ベルト１５ａに形成する、画像形成ユニット１２、を設ける。【選択図】図３
2020106586.tif 000002
【特許請求の範囲】
【請求項１】
画像をシートに印刷するための複数の色それぞれのトナーの、当該画像のトナー像のそれぞれが、形成される中間転写ベルトと、
前記複数の色のうちの所定の色の前記トナー像である所定トナー像の下地を、当該所定トナー像よりも先に、当該複数の色のうちの当該所定の色以外の色の前記トナーである下地用トナーによって前記中間転写ベルトに形成する、形成手段、
を有することを特徴とする画像形成装置。
【請求項２】
前記中間転写ベルトは無端状であって、かつ、当該中間転写ベルトを回転させる、前記シートに当該中間転写ベルトを接触させる第一のローラ、および、当該第一のローラとともに当該中間転写ベルトを回転させる第二のローラに架けられ、
前記形成手段は、前記複数の色それぞれの感光体ドラムを有し、
前記複数の色それぞれの前記感光体ドラムのうちの前記所定トナー像を前記中間転写ベルトに形成させるための第一の感光体ドラムは、前記下地を前記中間転写ベルトに形成させるための第二の感光体ドラムよりも、当該中間転写ベルトが前記第二のローラから前記第一のローラに向かって回転する方向における下流側に配置されている、
請求項１に記載の画像形成装置。
【請求項３】
前記複数の色それぞれの前記トナーのうちの最も劣化したトナーである劣化トナーを特定する劣化トナー特定手段を有し、
前記形成手段は、前記劣化トナーを前記下地用トナーとして用いて前記下地を形成する、
請求項１または請求項２に記載の画像形成装置。
【請求項４】
前記形成手段は、前記下地を、前記下地用トナーの前記中間転写ベルトに付着する量が、前記所定トナー像の前記トナーである所定トナーの当該中間転写ベルトに付着する量が少なくなるほど、少なくなるようにして、形成する、
請求項１ないし請求項３のいずれかに記載の画像形成装置。
【請求項５】
前記形成手段は、前記下地を、当該下地の中の各位置の厚さが、前記所定トナー像の中の当該位置の厚さが厚いほど厚くなるように形成する、
請求項４に記載の画像形成装置。
【請求項６】
前記形成手段は、前記複数の色それぞれの前記トナー像を、当該トナー像の中の各位置の厚さが、前記画像の当該位置におけるそれぞれの色の濃さが濃いほど厚くなるように、形成する、
請求項１ないし請求項５のいずれかに記載の画像形成装置。
【請求項７】
前記形成手段は、前記下地を、当該下地の中の各位置に前記下地用トナーが付着される面積が、当該位置に前記所定の色の前記トナーが付着される面積が大きいほど大きくなるように、形成する、
請求項４に記載の画像形成装置。
【請求項８】
前記形成手段は、前記複数の色それぞれの前記トナー像を、当該トナー像の中の各位置の面積が、前記画像の当該位置におけるそれぞれの色の濃さが濃いほど大きくなるように、形成する、
請求項１、請求項２、請求項３、請求項４、または請求項７に記載の画像形成装置。
【請求項９】
前記形成手段は、前記下地を、前記所定トナー像よりも小さくなるように形成する、
請求項１ないし請求項８のいずれかに記載の画像形成装置。
【請求項１０】
前記所定トナーはブラックのトナーである、
請求項１ないし請求項９のいずれかに記載の画像形成装置。
【請求項１１】
画像をシートに印刷するための複数の色それぞれのトナーの、当該画像のトナー像のそれぞれを、中間転写ベルトに形成させるトナー像形成方法であって、
前記複数の色のうちの所定の色の前記トナー像である所定トナー像の下地を、当該所定トナー像よりも先に、当該複数の色のうちの当該所定の色以外の色の前記トナーである下地用トナーによって前記中間転写ベルトに形成する、
ことを特徴とする形成方法。
【請求項１２】
画像をシートに印刷するための複数の色それぞれのトナーの、当該画像のトナー像のそれぞれが、形成される中間転写ベルトを有する画像形成装置を制御するためのコンピュータプログラムであって、
前記画像形成装置に、
前記複数の色のうちの所定の色の前記トナー像である所定トナー像の下地を、当該所定トナー像よりも先に、当該複数の色のうちの当該所定の色以外の色の前記トナーである下地用トナーによって前記中間転写ベルトに形成する処理を実行させる、
ことを特徴とするコンピュータプログラム。
【発明の詳細な説明】
【技術分野】
【０００１】
本発明は、画像形成装置においてトナー像が二次転写されるときの転写ムラを防ぐ技術に関する。
【背景技術】
【０００２】
コピー、スキャン、ファックス、およびボックスなどの様々な機能を備えた画像形成装置が普及している。このような画像形成装置は「ＭＦＰ（Multi Function Peripherals）」と呼ばれることがある。
【０００３】
画像形成装置は、感光体ドラムに形成されたトナー像を中間転写ベルトに転写し、中間転写ベルトから用紙に転写する。
【０００４】
トナー像が二次転写されるとき、トナー像のうちの一部が用紙に転写されずに中間転写ベルトに残ることがある。そのため、転写ムラが生じることがある。以下の特許文献には、このような転写ムラの軽減を図る技術が開示されている。
【０００５】
特許文献１に記載される画像形成装置は、像担持体と、透明トナー像形成手段と、有色トナー像形成手段と、像担持体上で透明トナー像が有色トナー像よりも像担持体の表面側に担持されるように形成されたトナー像を記録材上に転写する転写手段と、出力する画像における所定領域に形成される有色トナーの量が少ないほど前記所定領域に形成される透明トナーの量を少なくするように、前記所定領域に形成される有色トナーの量が多いほど前記所定領域に形成される透明トナーの量を多くなるように制御する制御手段と、を有する。
【先行技術文献】
【特許文献】
【０００６】
【特許文献１】特開２０１２−１２８３７７号公報
【発明の概要】
【発明が解決しようとする課題】
【０００７】
現在、普及している画像形成装置を、上述の特許文献に記載された発明のように有色トナー像の下地として透明トナー像を転写するようにすると、画像形成装置の構造が、普及しているものよりも複雑になり、また画像形成装置の製造などのコストが、普及しているものよりも高くなることがある。
【０００８】
本発明は、このような問題点に鑑み、画像形成装置の構造を複雑にすることなくまた製造などのコストを高くすることなく、転写ムラの軽減を図ることを目的とする。
【課題を解決するための手段】
【０００９】
本発明の一形態に係る画像形成装置は、画像をシートに印刷するための複数の色それぞれのトナーの、当該画像のトナー像のそれぞれが、形成される中間転写ベルトと、前記複数の色のうちの所定の色の前記トナー像である所定トナー像の下地を、当該所定トナー像よりも先に、当該複数の色のうちの当該所定の色以外の色の前記トナーである下地用トナーによって前記中間転写ベルトに形成する、形成手段、を有する。
【００１０】
または、前記中間転写ベルトは無端状であって、かつ、当該中間転写ベルトを回転させる、前記シートに当該中間転写ベルトを接触させる第一のローラ、および、当該第一のローラとともに当該中間転写ベルトを回転させる第二のローラに架けられ、前記形成手段は、前記複数の色それぞれの感光体ドラムを有し、前記複数の色それぞれの前記感光体ドラムのうちの前記所定トナー像を前記中間転写ベルトに形成させるための第一の感光体ドラムは、前記下地を前記中間転写ベルトに形成させるための第二の感光体ドラムよりも、当該中間転写ベルトが前記第二のローラから前記第一のローラに向かって回転する方向における下流側に配置されている。
【００１１】
または、前記複数の色それぞれの前記トナーのうちの最も劣化したトナーである劣化トナーを特定する劣化トナー特定手段を有し、前記形成手段は、前記劣化トナーを前記下地用トナーとして用いて前記下地を形成する。
【００１２】
好ましくは、前記形成手段は、前記下地を、前記下地用トナーの前記中間転写ベルトに付着する量が、前記所定トナー像の前記トナーである所定トナーの当該中間転写ベルトに付着する量が少なくなるほど、少なくなるようにして、形成する。
【発明の効果】
【００１３】
本発明によると、画像形成装置の構造を複雑にすることなくまた製造などのコストを高くすることなく、転写ムラの軽減を図ることができる。
【図面の簡単な説明】
【００１４】
【図１】画像形成装置の外観の例を示す図である。
【図２】画像形成装置のハードウェア構成の例を示す図である。
【図３】プリントユニットの構成の例を模式的に示す図である。
【図４】画像形成装置の機能的構成の例を示す図である。
【図５】中間転写ベルトに載っているトナーがシートへ転写される例を模式的に示す図である。
【図６】理想付着量（ｘ，ｙ）に対する下地量（ｘ，ｙ）の割合と理想付着量との関係の例を示す図である。
【図７】二次転写率の例を示す図である。
【図８】画像形成装置の全体的な処理の流れの例を示すフローチャートである。
【図９】下地画像処理の流れの例を示すフローチャートである。
【図１０】第一の所定の色のトナー像の大きさと下地画像の大きさとの関係の例を示す図である。
【発明を実施するための形態】
【００１５】
図１は画像形成装置１の外観の例を示す図である。図２は画像形成装置１のハードウェア構成の例を示す図である。図３はプリントユニット１０ｋの構成の例を模式的に示す図である。図４は画像形成装置１の機能的構成の例を示す図である。
【００１６】
図１に示す画像形成装置１は、コピー、ＰＣプリント、ファックス、スキャナ、およびボックスなどの機能を集約した装置である。一般に、「複合機」または「ＭＦＰ（Multi Function Peripherals）」などと呼ばれることがある。
【００１７】
ＰＣプリント機能は、画像形成装置１と同じＬＡＮ（Local Area Network）内にある端末装置から受信した画像データに基づいて、画像を用紙などのシートに印刷する機能である。「ネットワークプリンティング」または「ネットワークプリント」などと呼ばれることもある。
【００１８】
ボックス機能は、ユーザごとに「ボックス」または「パーソナルボックス」などと呼ばれる記憶領域を与えておき、各ユーザが自分の記憶領域によって画像データなどを保存し管理するための機能である。グループごとにボックスを設けておき、グループのメンバで共用することもできる。ボックスは、パーソナルコンピュータにおける「フォルダ」または「ディレクトリ」に相当する。
【００１９】
図１または図２に示すように、画像形成装置１は、ＣＰＵ（Central Processing Unit）１０ａ、ＲＡＭ（Random Access Memory）１０ｂ、ＲＯＭ（Read Only Memory）１０ｃ、補助記憶装置１０ｄ、タッチパネルディスプレイ１０ｅ、操作キーパネル１０ｆ、ＮＩＣ（Network Interface Card）１０ｇ、無線ＬＡＮ通信ユニット１０ｈ、モデム１０ｉ、スキャンユニット１０ｊ、およびプリントユニット１０ｋなどによって構成される。
【００２０】
ＣＰＵ１０ａは、画像形成装置１のメインＣＰＵである。ＲＡＭ１０ｂは、画像形成装置１のメインメモリである。
【００２１】
タッチパネルディスプレイ１０ｅは、ユーザに対するメッセージを示す画面、ユーザがコマンドまたは情報を入力するための画面、およびＣＰＵ１０ａが実行した処理の結果を示す画面などを表示する。さらに、タッチされた位置を示す信号をＣＰＵ１０ａへ送る。
【００２２】
操作キーパネル１０ｆは、いわゆるハードウェアキーボードであって、テンキー、スタートキー、ストップキー、およびファンクションキーなどによって構成される。
【００２３】
ＮＩＣ１０ｇは、ＴＣＰ／ＩＰ（Transmission Control Protocol/Internet Protocol）などのプロトコルで他の装置との通信を行う。
【００２４】
無線ＬＡＮ通信ユニット１０ｈは、無線ＬＡＮの規格、つまり、ＩＥＥＥ（Institute of Electrical and Electronics Engineers）８０２．１１の規格に基づいて他の装置と通信を行う。
【００２５】
モデム１０ｉは、ファックス端末との間で、Ｇ３などのプロトコルで文書データをやり取りする。
【００２６】
スキャンユニット１０ｊは、ＡＤＦ（Auto Document Feeder）またはプラテンガラスの上にセットされた原稿（シート）に記されている画像を読み取る。
【００２７】
プリントユニット１０ｋは、スキャンユニット１０ｊによって読み取られた画像のほか、ＮＩＣ１０ｇ、無線ＬＡＮ通信ユニット１０ｈ、またはモデム１０ｉによって端末装置などから受信した画像データに示される画像などを、シートに印刷する。
【００２８】
プリントユニット１０ｋは、タンデム方式および電子写真方式のカラーの印刷エンジンである。図３に示すように、トナーボトル１１、画像形成ユニット１２、給紙ユニット１３、レジストローラ１４、中間転写ユニット１５、および定着ユニット１６などによって構成される。
【００２９】
トナーボトル１１および画像形成ユニット１２は、イエロー、シアン、マゼンタ、およびブラックごとに１つずつ設けられている。また、画像形成ユニット１２は、後述する中間転写ベルト１５ａの回転方向における上流側から、イエロー、マゼンタ、シアン、ブラックの順番に配置されている。イエロー、マゼンタ、シアン、およびブラックそれぞれの画像形成ユニット１２を、「画像形成ユニット１２１」、「画像形成ユニット１２２」、「画像形成ユニット１２３」、および「画像形成ユニット１２４」と記載する。以下、トナーボトル１１および画像形成ユニット１２を、イエローのトナーボトル１１および画像形成ユニット１２１を例に説明する。
【００３０】
トナーボトル１１には、補充用のイエローのトナーが蓄えられている。画像形成ユニット１２は、感光体ドラム１２ａ、帯電装置１２ｂ、露光装置１２ｃ、現像装置１２ｄ、およびドラムクリーニング装置１２ｅなどによって構成される。
【００３１】
感光体ドラム１２ａは、イエロー用の感光体ドラムである。例えば、アルミニウム製の導電性円筒体（アルミ素管）の周面に、アンダーコート層、電荷発生層、および電荷輸送層を順次積層した負帯電型の有機感光体である。帯電装置１２ｂは、感光体ドラム１２ａの表面を一様に負極性に帯電させる。
【００３２】
露光装置１２ｃは、ＣＰＵ１０ａからの信号に基づいて画像データの画像に応じて露光することで、静電潜像を感光体ドラム１２ａに作像する。
【００３３】
露光装置１２ｃは、例えば半導体レーザーで構成される。感光体ドラム１２ａに対して各色成分の画像に対応するレーザー光を照射すると、感光体ドラム１２ａの電荷発生層で正電荷が発生する。正電荷が電荷輸送層の表面まで輸送されると、感光体ドラム１２ａの表面電荷（負電荷）が中和される。そして、感光体ドラム１２ａの表面に、周囲との電位差により各色成分の静電潜像が形成される。
【００３４】
現像装置１２ｄは、イエローのトナーと磁性体とからなる現像剤（二成分現像剤）を収納する。トナー（現像剤）を静電潜像に供給することで、感光体ドラム１２ａにトナー像を形成する。なお、トナーは、供給されるときに、現像装置１２ｄに備え付けられたトナー供給ローラおよび規制ブレードなどに接触することがある。
【００３５】
ドラムクリーニング装置１２ｅは、感光体ドラム１２ａの表面に残留するトナーを、備え付けのドラムクリーニングブレードによって掻き取って除去する。
【００３６】
マゼンタ、シアン、およびブラックそれぞれのトナーボトル１１、および画像形成ユニット１２２〜１２４も、イエローのトナーボトル１１および画像形成ユニット１２１と同様の役割を有し、マゼンタ、シアン、およびブラックそれぞれのトナー像を感光体ドラム１２ａに形成する。
【００３７】
給紙ユニット１３は、１以上の給紙トレイ１３ａ、１以上のピックアップローラ１３ｂなどから構成される。
【００３８】
給紙トレイ１３ａには、坪量およびサイズなどによって分別されたシートがその種類ごとに収納される。ピックアップローラ１３ｂは、給紙トレイ１３ａに収納されているシートを上から一枚ずつ取り出す。
【００３９】
シートは、給紙トレイ１３ａから取り出されると、搬送路を介して中間転写ユニット１５へ搬送される。このとき、レジストローラ１４によって傾きが補正されるとともに搬送されるタイミングが調整される。
【００４０】
中間転写ユニット１５は、中間転写ベルト１５ａ、駆動ローラ１５ｂ、従動ローラ１５ｃ、一次転写ローラ１５ｄ、二次転写ローラ１５ｅ、およびベルトクリーニング装置１５ｆなどによって構成される。
【００４１】
中間転写ベルト１５ａは、無端状ベルトであり、駆動ローラ１５ｂおよび従動ローラ１５ｃに引っ張られるようにして架けられた状態で、一定速度で回転する。
【００４２】
一次転写ローラ１５ｄは、イエロー、マゼンタ、シアン、およびブラックごとに、その色の感光体ドラム１２ａに対向するように設けられている。
【００４３】
一次転写ローラ１５ｄは、感光体ドラム１２ａとともに中間転写ベルト１５ａを挟み込むことで、感光体ドラム１２ａのトナー像を中間転写ベルト１５ａに一次転写する。
【００４４】
二次転写ローラ１５ｅは、給紙ユニット１３から搬送されたシートおよび中間転写ベルト１５ａを、駆動ローラ１５ｂとともに挟み込むことで、中間転写ベルト１５ａのトナー像をシートに二次転写する。
【００４５】
ベルトクリーニング装置１５ｆは、中間転写ベルト１５ａに滑るように接触するベルトクリーニングブレード１５ｆ１を有する。ベルトクリーニングブレード１５ｆ１は、中間転写ベルト１５ａの表面に残留するトナーを掻き取って除去する。
【００４６】
濃度検出センサ１５ｇは、トナーパターンの濃度を検出する。例えば発光ダイオードなどの発光素子と、フォトダイオードなどの受光素子と、トナーパターンの反射濃度を検出する反射型の光センサと、を有する。トナーパターンの反射濃度は、測定対象物への入射光量をＩ０、測定対象物からの反射光量をＩとしたとき、−ｌｏｇ（Ｉ／Ｉ０）で表される。なお、中間転写ベルト１５ａが光を通すならば、濃度検出センサ１５ｇとして、発光素子と受光素子とが中間転写ベルト１５ａを挟んで対向するように配置される透過型の光センサを用いることができる。
【００４７】
濃度検出センサ１５ｇは、トナー像がシートに二次転写される位置よりも中間転写ベルト１５ａの回転方向における上流側に、中間転写ベルト１５ａに対向するように配置される。なお、中間転写ベルト１５ａと二次転写ローラ１５ｅとを離すことができるときは、濃度検出センサ１５ｇを、二次転写される位置よりも中間転写ベルト１５ａの回転方向における下流側に配置することができる。
【００４８】
シートは、二次転写されると、定着ユニット１６へ搬送される。定着ユニット１６は、加熱ローラ１６ａおよび加圧ローラ１６ｂなどによって構成される。
【００４９】
加熱ローラ１６ａは、所定の温度で加熱され、トナー像が転写されたシートを加熱する。加圧ローラ１６ｂは、加熱ローラ１６ａとの間にニップ幅を形成し、ニップ幅を通るシートを加熱ローラ１６ａに向かって押さえつけることで、トナー像をシートに定着させる。シートは、トナー像が定着されると、画像形成装置１から排出される。
【００５０】
ＲＯＭ１０ｃまたは補助記憶装置１０ｄ（図２参照）には、上述のコピーなどの機能を実現するためのアプリケーションが記憶されている。また、印刷プログラム１０Ｐ（図４参照）が記憶されている。
【００５１】
印刷プログラム１０Ｐは、端末装置から受信したデータに基づいて画像をシートに印刷するためのプログラムである。印刷プログラム１０Ｐによると、いわゆる透明のトナーを使わずに、従来よりも効率的にイエロー、マゼンタ、シアン、およびブラックそれぞれのトナーを使うことができる。このプログラムの詳細については、後に説明する。
【００５２】
これらのプログラムは、必要に応じてＲＡＭ１０ｂにロードされ、ＣＰＵ１０ａによって実行される。
【００５３】
図５は、中間転写ベルト１５ａに載っているトナーがシートへ転写される例を模式的に示す図である。図６は、理想付着量Ｈａ４（ｘ，ｙ）に対する下地量Ｈｂ（ｘ，ｙ）の割合と理想付着量Ｈａ４との関係の例を示す図である。図７は二次転写率の例を示す図である。
【００５４】
印刷プログラム１０Ｐによると、図４の色分解部１０１ないし下地用トナーデータ更新部１０６が画像形成装置１に実現される。以下、これらの動作を、画像形成装置１が画像をシート２に印刷する場合を例に、図５ないし図７を参照しながら説明する。
【００５５】
ユーザは、端末装置において、文書または写真などの画像の画像データ６Ａを用意する。例えば、端末装置のアプリケーションで文書などを作成することで用意する。画像データ６Ａの画像は、本実施形態においてはブラック（黒色）の部分を有するカラー画像である。
【００５６】
ユーザは、画像を印刷するための条件を指定する。本実施形態においては、条件として少なくともカラー印刷を指定する。そして、画像をシート２に印刷する指示を画像形成装置１に与える。この際に、端末装置は、画像データ６Ａおよびカラー印刷を条件として示す指示データ６Ｂを画像形成装置１へ送信する。
【００５７】
画像形成装置１は、画像データ６Ａおよび指示データ６Ｂを端末装置から受信すると、以下のように処理を行う。
【００５８】
画像形成装置１において、色分解部１０１は、指示データ６Ｂを受信すると、つまり、カラー印刷が条件として指定されると、画像データ６Ａをイエロー、マゼンタ、シアン、およびブラックそれぞれに分解（色変換）した色分解画像データ６Ｃをそれぞれ生成する。以下、イエロー、マゼンタ、シアン、およびブラックそれぞれに対応する色分解画像データ６Ｃを、色分解画像データ６Ｃ１、６Ｃ２、６Ｃ３、および６Ｃ４と記載する。
【００５９】
色分解画像データ６Ｃのそれぞれには、印刷の対象の画像の各画素における、その色分解画像データ６Ｃの色の濃さ（階調）が示される。例えば、色分解画像データ６Ｃ４には、その画像の各画素におけるブラックの濃さが示される。
【００６０】
一般に、シートに付着させるべきトナーは、色の濃さが濃いほど厚い。したがって、各画素における各トナーの厚さは、色の濃さによって決まる。以下、画素（ｘ，ｙ）におけるトナーの、シートに付着させるべき厚さを「理想付着量Ｈａ（ｘ，ｙ）」と記載する。また、イエロー、マゼンタ、シアン、およびブラックそれぞれの理想付着量Ｈａ（ｘ，ｙ）を、理想付着量Ｈａ１（ｘ，ｙ）、Ｈａ２（ｘ，ｙ）、Ｈａ３（ｘ，ｙ）、およびＨａ４（ｘ，ｙ）と記載する。
【００６１】
下地画像処理部１０２は、カラー印刷が条件として指定されると、下地画像のために中間転写ベルト１５ａに形成されるトナーの量（厚さ）を示す下地量Ｈｂを決定する処理を、以下のように行う。下地画像は、イエロー、マゼンタ、シアン、およびブラックのうちの第一の所定の色のトナー像が一次転写されるときに、そのトナー像の下地として形成される第二の所定の色のトナー像である。以下、第一の所定の色がブラックである場合を例に説明する。
【００６２】
下地画像処理部１０２は、色分解画像データ６Ｃ４に基づいて各画素におけるトナーの理想付着量Ｈａ４を判別する。さらに、各画素における、下地画像のトナーの厚さを、その画素の理想付着量Ｈａ４に基づいて決定する。以下、画素（ｘ，ｙ）における、このトナーの厚さを「下地量Ｈｂ（ｘ，ｙ）」と記載する。つまり、下地画像処理部１０２は、下地量Ｈｂ（ｘ，ｙ）を理想付着量Ｈａ４（ｘ，ｙ）に基づいて決定する。
【００６３】
ここで、下地量Ｈｂ（ｘ，ｙ）は、理想付着量Ｈａ４（ｘ，ｙ）が少なくなるほど少なくなるように、決定される。その理由は、次の通りである。
【００６４】
図５（Ａ）に示すように、一次転写されるブラックのトナーＴｂｒの量（厚さ）に関わらず下地画像のトナーＴｆの量（厚さ）を一律にすると、トナーＴｂｒの量が多い部分においてはトナーＴｆが二次転写されないが、トナーＴｂｒの量が少ない部分においてはトナーＴｆが二次転写されてしまうことがある。その結果、下地画像のトナーつまり第二の所定の色のトナーがシート２に現れるので、シート２に印刷される画像におけるブラックの部分の品質が低下することがある。
【００６５】
例えば、ＰＷＭ（Pulse Width Modulation）方式によってつまり露光装置１２ｃがレーザー光を照射する時間である露光時間を変化させることによって色の濃さを調整すると、一次転写するときに、画像における数画素しかないような微小な部分のトナーの付着量が、予定していた量よりも少なくなることがある。これは、露光時間が短くなることによって、微小な部分に対応する感光体ドラム１２ａの表面に十分な電位差が生じないことが原因となって起きる。下地画像のトナーの量が一律であると、このような状態のときに、微小な部分において下地画像のトナーが二次転写されることがある。
【００６６】
そこで、下地画像のトナーの量すなわち下地量Ｈｂ（ｘ，ｙ）を、ブラックのトナーの量すなわち理想付着量Ｈａ４（ｘ，ｙ）が少なくなるほど、少なくする。このようにすることで、図５（Ｂ）に示すように、トナーＴｂｒの量が少ない部分のトナーＴｆは、トナーＴｂｒの量が多い部分のトナーＴｆと同様に二次転写されなくなる。または二次転写されにくくなる。
【００６７】
さらに好ましくは、理想付着量Ｈａ４（ｘ，ｙ）に対する下地量Ｈｂ（ｘ，ｙ）の割合と理想付着量Ｈａ４とが、図６（Ａ）〜（Ｃ）のいずれかの関係になるように、つまり理想付着量Ｈａ４が多いほどこの割合が高くなるように、決定してもよい。なぜなら、図７に示すように、中間転写ベルト１５ａに載っているトナーの、シートへ転写される量の割合（以下、「二次転写率」と記載する。）は、中間転写ベルト１５ａに載っているトナーの付着量が多いほど低くなるからである。
【００６８】
なお、実際には、各理想付着量Ｈａ４のときに下地量Ｈｂをどのくらいにすれば理想付着量Ｈａ４分だけのトナーがシートに付着するのかを予め実験によって求めておいてもよい。下地画像処理部１０２は、実験によって得られたデータを参照して、各画素の理想付着量Ｈａ４（ｘ，ｙ）の下地量Ｈｂ（ｘ，ｙ）を算出することで、下地量Ｈｂ（ｘ，ｙ）を決定すればよい。
【００６９】
下地画像処理部１０２はまた、下地画像を形成するために用いるトナー（以下、「下地用トナー」と記載する。）を示す下地用トナーデータ６Ｄを、下地用トナーデータ記憶部１０３から取得する。
【００７０】
下地用トナーデータ６Ｄには、デフォルトの値として、画像形成ユニット１２のうちの中間転写ベルト１５ａの回転方向における最も上流側にある画像形成ユニット１２のトナーが、示される。本実施形態においては画像形成ユニット１２１（図２参照）のトナーであるイエローのトナーが示される。
【００７１】
下地画像処理部１０２は、下地用トナーを、取得した下地用トナーデータ６Ｄに示されるトナーに決定する。
【００７２】
付着量処理部１０４は、下地画像処理部１０２によって下地量Ｈｂおよび下地用トナーが決定されると、第一の所定の色以外の色（本実施形態ではイエロー、マゼンタ、およびシアン）それぞれのトナーの、一次転写されるときの総量（厚さ）を示す総付着量Ｈｄを算出する処理を、次のように行う。
【００７３】
付着量処理部１０４は、色分解画像データ６Ｃ１〜６Ｃ３に基づいて、色分解画像データ６Ｃ１〜６Ｃ３それぞれの各画素におけるトナーの理想付着量Ｈａを判別する。色分解画像データ６Ｃ１〜６Ｃ３それぞれの各画素における、二次転写されずに中間転写ベルト１５ａに残留するトナーの厚さを、その画素の理想付着量Ｈａに基づいて決定する。以下、画素（ｘ，ｙ）における、残留するトナーの厚さを「残留量Ｈｃ（ｘ，ｙ）」と記載する。つまり、付着量処理部１０４は、残留量Ｈｃ（ｘ，ｙ）を、理想付着量Ｈａ（ｘ，ｙ）に基づいて、決定する。
【００７４】
なお、上述の下地量Ｈｂと同様に、残留量Ｈｃ（ｘ，ｙ）は、理想付着量Ｈａ（ｘ，ｙ）が少なくなるほど少なくなるように、決定される。より好ましくは、図６（Ａ）〜（Ｃ）に例示したいずれかの関係になるように決定される。また、各理想付着量Ｈａのときに残留量Ｈｃをどのくらいにすれば理想付着量Ｈａ分だけのトナーがシートに付着するのかを予め実験によって求めておいてもよい。そして、付着量処理部１０４は、実験によって得られたデータを参照して、各画素の理想付着量Ｈａ（ｘ，ｙ）の残留量Ｈｃ（ｘ，ｙ）を算出することで、残留量Ｈｃ（ｘ，ｙ）を決定すればよい。
【００７５】
付着量処理部１０４は、色分解画像データ６Ｃ１〜６Ｃ３それぞれの各画素における理想付着量Ｈａ（ｘ，ｙ）に、その理想付着量Ｈａ（ｘ，ｙ）の残留量Ｈｃ（ｘ，ｙ）を加えることで、色分解画像データ６Ｃ１〜６Ｃ３それぞれの各画素における総付着量Ｈｄ（ｘ，ｙ）を算出する。すなわち、次の（１）〜（３）式のそれぞれを満たすような総付着量Ｈｄ１（ｘ，ｙ）〜Ｈｄ３（ｘ，ｙ）それぞれを算出する。
Ｈｄ１（ｘ，ｙ）＝Ｈａ１（ｘ，ｙ）＋Ｈｃ１（ｘ，ｙ）  …  （１）
Ｈｄ２（ｘ，ｙ）＝Ｈａ２（ｘ，ｙ）＋Ｈｃ２（ｘ，ｙ）  …  （２）
Ｈｄ３（ｘ，ｙ）＝Ｈａ３（ｘ，ｙ）＋Ｈｃ３（ｘ，ｙ）  …  （３）
ただし、Ｈｄ１（ｘ，ｙ）、Ｈａ１（ｘ，ｙ）、およびＨｃ１（ｘ，ｙ）は、それぞれ、イエローのＨｄ（ｘ，ｙ）、Ｈａ（ｘ，ｙ）、およびＨｃ（ｘ，ｙ）である。Ｈｄ２（ｘ，ｙ）、Ｈａ２（ｘ，ｙ）、およびＨｃ２（ｘ，ｙ）は、それぞれ、マゼンタのＨｄ（ｘ，ｙ）、Ｈａ（ｘ，ｙ）、およびＨｃ（ｘ，ｙ）である。Ｈｄ３（ｘ，ｙ）、Ｈａ３（ｘ，ｙ）、およびＨｃ３（ｘ，ｙ）は、それぞれ、シアンのＨｄ（ｘ，ｙ）、Ｈａ（ｘ，ｙ）、およびＨｃ（ｘ，ｙ）である。
【００７６】
ジョブ実行部１０５は、下地量Ｈｂと、理想付着量Ｈａまたは理想付着量Ｈａから算出した総付着量Ｈｄと、に基づいて、決定された下地用トナーによって画像をシート２に印刷するように、プリントユニット１０ｋなどを次のように制御する。
【００７７】
すなわち、ジョブ実行部１０５は、各画素（ｘ，ｙ）の、第二の所定の色（本実施形態ではイエロー）のトナーが、その色の総付着量Ｈｄ（ｘ，ｙ）（本実施形態では総付着量Ｈｄ１（ｘ，ｙ））の厚さで中間転写ベルト１５ａに形成されるようにかつ下地量Ｈｂ（ｘ，ｙ）の厚さで中間転写ベルト１５ａに形成されるように、プリントユニット１０ｋを制御する。
【００７８】
さらに、ジョブ実行部１０５は、各画素（ｘ，ｙ）の、第一の所定の色（本実施形態ではブラック）のトナーが、その色の理想付着量Ｈａ（ｘ，ｙ）（本実施形態では理想付着量Ｈａ４（ｘ，ｙ））の厚さで中間転写ベルト１５ａに形成されるように、プリントユニット１０ｋを制御する。
【００７９】
さらに、ジョブ実行部１０５は、各画素（ｘ，ｙ）の、第一の所定の色でも第二の所定の色でもない色（本実施形態ではマゼンタおよびシアン）のトナーが、その色の総付着量Ｈｄ（ｘ，ｙ）（本実施形態では総付着量Ｈｄ２（ｘ，ｙ）、Ｈｄ３（ｘ，ｙ））の厚さで中間転写ベルト１５ａに形成されるように、プリントユニット１０ｋを制御する。
【００８０】
ジョブ実行部１０５によってプリントユニット１０ｋが制御され、シート２に画像が印刷される。
【００８１】
下地用トナーデータ更新部１０６は、ジョブ実行部１０５によって画像が印刷されると、下地用トナーデータ６Ｄを更新する処理を、次のように行う。
【００８２】
下地用トナーデータ更新部１０６は、第一の所定の色（本実施形態ではブラック）の画像形成ユニット１２よりも中間転写ベルト１５ａの回転方向における上流側にある画像形成ユニット１２のトナー（本実施形態ではイエロー、シアン、およびマゼンタ）のうちの、最も消費量が少ないトナーを判別する。判別したトナーを下地用トナーとして特定する。その理由は、次の通りである。
【００８３】
トナーは、静電潜像に供給されるときに、トナー供給ローラおよび規制ブレードなどの部材に接触することがある。部材に接触することが多くなるほど、トナーの帯電性能は劣化しやすくなる。特に、供給される量が少ないトナーは、そうでないトナーと比べて劣化しやすい。このような劣化したトナー（以下、「劣化トナー」と記載する。）を用いると、画像の品質が低下することがある。
【００８４】
そこで、劣化トナーを強制的に消費（排出）するために、劣化トナーを下地用トナーとして用いるようにするつまり劣化トナーを下地用トナーとして特定する。
【００８５】
なお、下地用トナーとして特定されるトナーは、イエローのトナーであることが望ましい。イエローのトナーは、同じ量のマゼンタおよびシアンと比べて色の濃さが薄いため、万一、下地用トナーつまりイエローのトナーがブラックのトナーとともに二次転写されたときでも、他の色のトナーが二次転写されるときと比べてブラックの品質が低下しにくくなる。そのため、複数のトナーが劣化トナーに該当しかつその中にイエローのトナーが含まれていれば、イエローのトナーが優先して特定されるようにしてもよい。
【００８６】
下地用トナーデータ更新部１０６は、特定したトナーが下地用トナーとして示されるように下地用トナーデータ６Ｄを更新する。
【００８７】
図８は画像形成装置１の全体的な処理の流れの例を示すフローチャートである。図９は下地画像処理の流れの例を示すフローチャートである。
【００８８】
次に、画像形成装置１における全体的な処理の流れを、図８、図９のフローチャートを参照しながら説明する。
【００８９】
画像形成装置１は、印刷プログラム１０Ｐに基づいて、図８、図９に示す手順で処理を実行する。
【００９０】
ユーザから印刷を実行する指示が与えられると（図８の＃６０１でＹｅｓ）、画像形成装置１は、画像データ６Ａからイエロー、マゼンタ、シアン、およびブラックそれぞれの色分解画像データ６Ｃを生成する（＃６０２）。印刷する条件としてカラー印刷が指定されていれば（＃６０３でＹｅｓ）、下地画像処理を行う（＃６０４）。
【００９１】
下地画像処理において、画像形成装置１は、第一の所定の色の色分解画像データ６Ｃに基づいて第一の所定の色の理想付着量Ｈａを判別し（図９の＃７０１）、下地量Ｈｂを決定し（＃７０２）、下地用トナーを下地用トナーデータ６Ｄに基づいて決定する（＃７０３）。
【００９２】
図８に戻り、画像形成装置１は、第一の所定の色の色分解画像データ６Ｃ以外の色分解画像データ６Ｃに基づいて、第一の所定の色以外の色の理想付着量Ｈａをそれぞれ判別し（＃６０５）、それぞれの残留量Ｈｃを決定し（＃６０６）、それぞれの総付着量Ｈｄを算出する（＃６０７）。
【００９３】
画像形成装置１は、下地画像は下地量Ｈｂの厚さで、第一の所定の色のトナー像は理想付着量Ｈａの厚さで、そして第一の所定の色以外の色のトナー像は総付着量Ｈｄの厚さで、中間転写ベルト１５ａに形成されるようにして、画像を印刷する（＃６０８）。なお、印刷する条件としてカラー印刷が指定されていなければ（＃６０３でＮｏ）、ブラックの色分解画像データ６Ｃに基づいて従来通りに画像を印刷する。
【００９４】
画像形成装置１は、劣化トナーを特定し、特定した劣化トナーが示されるように下地用トナーデータ６Ｄを更新する（＃６０９）。サービスが終了するまで（＃６１０でＮｏ）、上述のステップ＃６０１〜６０９の処理を繰り返す。
【００９５】
本実施形態によると、画像形成装置１の構造を複雑にすることなくまた製造などのコストを高くすることなく、転写ムラの軽減を図ることができる。
【００９６】
〔変形例〕
図１０は、第一の所定の色のトナー像の大きさと下地画像の大きさとの関係の例を示す図である。
【００９７】
上述の実施形態では、第一の所定の色のトナー像は、ブラックのトナー像であった。しかし、他の色つまりブラック以外のトナー像であってもよい。
【００９８】
この場合、下地用トナーとして、第一の所定の色のトナーの画像形成ユニット１２よりも中間転写ベルト１５ａの回転方向における上流側にある画像形成ユニット１２のトナーを用いればよい。また、上流側に複数の画像形成ユニット１２があれば、それら画像形成ユニット１２のトナーのうちから劣化トナーに該当するものを判別し、そのトナーを下地用トナーとして用いればよい。
【００９９】
例えば、第一の所定の色のトナー像がシアンのトナー像であれば、イエローまたはマゼンタを下地用トナーとして用いればよい。
【０１００】
上述の実施形態では、第一の所定の色のトナー像は１つだけ（ブラックのトナー像だけ）であった。しかし、第一の所定の色のトナー像は複数あってもよい。
【０１０１】
例えば、第一の所定の色のトナー像がブラックのトナー像およびシアンのトナー像であってもよい。この場合、下地画像つまり第二の所定の色のトナー像がイエローのトナー像またはマゼンタのトナー像となる。
【０１０２】
上述の実施形態において、付着量処理部１０４は、第一の所定の色の色分解画像データ６Ｃの理想付着量Ｈａ（ｘ，ｙ）から下地量Ｈｂ（ｘ，ｙ）を減じることで、その色分解画像データ６Ｃの理想付着量Ｈａ（ｘ，ｙ）を調整してもよい。以下、調整された理想付着量Ｈａを、調整付着量Ｈｆと記載する。例えば、次の（４）式を満たすような調整付着量Ｈｆ（ｘ，ｙ）を算出してもよい。
Ｈｆ（ｘ，ｙ）＝Ｈａ（ｘ，ｙ）−Ｈｂ（ｘ，ｙ）  …  （４）
ただし、調整付着量Ｈｆの厚さつまり理想付着量Ｈａから下地量Ｈｂを減じたときの厚さに基づいて印刷するときの、第一の所定の色の画像における品質が、理想付着量Ｈａそのままの厚さに基づいて印刷するときのその品質と、ほとんど変わらないことを要する。例えば、調整付着量Ｈｆの量は、理想付着量Ｈａの１％以内の量を減じたものになる。
【０１０３】
調整付着量Ｈｆを算出する場合、付着量処理部１０４は、第一の所定の色以外の色のトナーの総付着量Ｈｄを算出しない。
【０１０４】
そしてジョブ実行部１０５は、各画素（ｘ，ｙ）の第二の所定の色のトナーが、その理想付着量Ｈａ（ｘ，ｙ）の厚さで中間転写ベルト１５ａに形成されるようにまた下地量Ｈｂ（ｘ，ｙ）の厚さで中間転写ベルト１５ａに形成されるように、プリントユニット１０ｋを制御する。
【０１０５】
さらに、ジョブ実行部１０５は、各画素（ｘ，ｙ）の第一の所定の色のトナーが、その調整付着量Ｈｆ（ｘ，ｙ）の厚さで中間転写ベルト１５ａに形成されるように、プリントユニット１０ｋを制御する。
【０１０６】
さらに、ジョブ実行部１０５は、各画素（ｘ，ｙ）の、第一の所定の色でも第二の所定の色でもない色のトナーが、第一の所定の色でも第二の所定の色でもない色の理想付着量Ｈａ（ｘ，ｙ）の厚さで中間転写ベルト１５ａに形成されるように、プリントユニット１０ｋを制御する。
【０１０７】
上述の実施形態では、各色の色分解画像データ６Ｃには、各色の各画素の理想付着量Ｈａに相当する濃度が示されていた。しかし、二次転写の際に一部のトナーがシートに移動せずに中間転写ベルト１５ａに残留することに鑑み、各色の各画素の理想付着量Ｈａよりも多い量（以下、「一次転写量Ｈｇ」と記載する。）に相当する濃度が予め示されている場合がある。このような場合は、次のように処理が行われる。なお、一次転写量Ｈｇは、総付着量Ｈｄに等しいのが望ましい。
【０１０８】
下地画像処理部１０２は、第一の所定の色の色分解画像データ６Ｃに基づいて、各画素（ｘ，ｙ）の、第一の所定の色の一次転写量Ｈｇを判別する。二次転写率および各画素（ｘ，ｙ）の一次転写量Ｈｇ（ｘ，ｙ）に基づいて、各画素（ｘ，ｙ）の、中間転写ベルト１５ａに残留するトナーの厚さ（以下、「残留量Ｈｈ（ｘ，ｙ）」と記載する。）およびシートに転写されるトナーの厚さ（以下、「転写量Ｈｉ（ｘ，ｙ）」と記載する。）を推定する。
【０１０９】
ジョブ実行部１０５は、各画素（ｘ，ｙ）の、第一の所定の色のトナーが、推定された転写量Ｈｉ（ｘ，ｙ）の厚さで中間転写ベルト１５ａに形成されるように、プリントユニット１０ｋを制御する。
【０１１０】
さらに、ジョブ実行部１０５は、各画素（ｘ，ｙ）の、第二の所定の色のトナーが、一次転写量Ｈｇ（ｘ，ｙ）の厚さで中間転写ベルト１５ａに形成されかつ残留量Ｈｈ（ｘ，ｙ）の厚さで中間転写ベルト１５ａに形成されるように、プリントユニット１０ｋを制御する。
【０１１１】
さらに、ジョブ実行部１０５は、各画素（ｘ，ｙ）の、第一の所定の色でも第二の所定の色でもない色それぞれのトナーが、一次転写量Ｈｇ（ｘ，ｙ）の厚さで中間転写ベルト１５ａに形成されるように、プリントユニット１０ｋを制御する。
【０１１２】
例えば、第一の所定の色がブラックであり第二の所定の色がイエローである場合は、各画素（ｘ，ｙ）の、シアンのトナーが、シアンの一次転写量Ｈｇ（ｘ，ｙ）の厚さで中間転写ベルト１５ａに形成され、かつ、マゼンタのトナーが、マゼンタの一次転写量Ｈｇ（ｘ，ｙ）の厚さで中間転写ベルト１５ａに形成されるように、プリントユニット１０ｋを制御する。
【０１１３】
上述の実施形態において、下地用トナーデータ更新部１０６は、第一の所定の色のトナー以外の色のトナーのうちのいずれも劣化トナーに該当しなければ、イエローのトナー、または複数の画像形成ユニット１２のうちの中間転写ベルト１５ａの回転方向における最も上流側にある画像形成ユニット１２のトナーを、下地用トナーとして特定してもよい。または、下地用トナーを特定することなく従来通り印刷してもよい。
【０１１４】
本実施形態において、ハイライトが極めて強い部分の画素つまり理想付着量Ｈａが所定の量（例えばシートに付着させることができる最大の量の半分以下）になる画素については、下地量Ｈｂを決定しないようにしてもよい。ハイライトが極めて強い部分に万一、下地用トナーが二次転写されると、印刷される画像におけるその部分の品質が大きく低下することがある。これを防止するためである。
【０１１５】
本実施形態では、下地画像ならびにイエロー、マゼンタ、シアン、およびブラックそれぞれのトナー像の、中間転写ベルト１５ａに付着させる各画素のトナーの量を、トナーの厚さによって調整した。しかし、トナーを付着させる面積によって調整してもよい。例えば、ある画素におけるイエローの濃度が高いほど、その画素におけるイエローのトナーの付着する面積が大きくなるように、調整してもよい。画素の単位で調整する代わりに、隣り合う複数の画素の塊（集合）の単位で調整してもよい。この場合は、濃度が高いほどトナーのドットの個数が多くなるように調整してもよいし、ドットのサイズが大きくなるように調整してもよい。
【０１１６】
すなわち、色が同じである複数の画素を、所定の範囲ごとに集合としてまとめる。集合の中の複数の画素それぞれの位置に対応する中間転写ベルト１５ａの位置に付着するトナーの面積（以下、「付着面積」と記載する。）を、画像における集合の位置に対応する画像の部分の濃度によって決定する。例えば、画像における色の濃い部分に対応する位置にある集合の付着面積を通常よりも大きくし、色の薄い部分に対応する位置の付着面積を通常よりも小さくする。
【０１１７】
または、同じ色の複数の画素を所定の範囲ごとに集合としてまとめる。そして、各集合の中の複数の画素それぞれの位置のうちの中間転写ベルト１５ａにおけるトナーが付着する位置（以下、「付着位置」と記載する。）の数を、画像における集合の位置に対応する画像の部分の濃度によって決定する。例えば、画像における色の濃い部分に対応する位置にある集合の付着位置の数を平均より多くし、色の薄い部分に対応する位置の付着位置の数を平均より少なくする。
【０１１８】
上述の実施形態では、第一の所定の色のトナー像と下地画像とは大きさ（形状）が一致した。しかし、下地画像を、第一の所定の色のトナー像よりも小さくしてもよい。例えば、図１０に示すように、下地画像Ｔｉｆの形状を、第一の所定の色のトナー像Ｔｉｕの輪郭の分だけ小さくする。なお、輪郭の太さは例えば１画素または１ドット程度であればよい。
【０１１９】
画像の輪郭の部分のトナーは、画像の内側の部分のトナーよりも感光体ドラム１２ａの表面に形成されやすい（エッジ効果）。そのため、一次転写するときにおいて、輪郭の部分のトナーの付着量が内側の部分のトナーよりも多くなりやすい。また、輪郭の分だけ下地画像を小さくすることで、万一、下地用トナーがブラックのトナーとともに二次転写されたときでも、下地用トナーがブラックのトナーからはみ出しにくくなる。そこで、下地画像を、第一の所定の色のトナー像よりも小さくする。
【０１２０】
上述の実施形態では、画像データ６Ａの画像は、本実施形態においてはブラックの部分を有するカラー画像であった。しかし、モノクロ画像であってもよい。
【０１２１】
この場合、画像を印刷するときに、画像形成ユニット１２のうちの、ブラックの画像形成ユニット１２すなわち画像形成ユニット１２４と、少なくとも下地用トナーの画像形成ユニット１２と、を稼働させればよい。
【０１２２】
その他、画像形成装置１の全体または中間転写ユニット１５などの各部の構成、処理の内容、処理の順序、色分解画像データ６Ｃおよび下地用トナーデータ６Ｄの構成などは、本発明の趣旨に沿って適宜変更することができる。
【符号の説明】
【０１２３】
１  画像形成装置
２  シート
１２  画像形成ユニット（形成手段）
１２ａ  感光体ドラム（第一の感光体ドラム、第二の感光体ドラム）
１５ａ  中間転写ベルト
１５ｂ  駆動ローラ（第一のローラ）
１５ｃ  従動ローラ（第二のローラ）
１０２  下地画像処理部（形成手段）
１０６  下地用トナーデータ更新部（劣化トナー特定手段）
Ｈａ  理想付着量（所定トナーの中間転写ベルトに付着する量）
Ｈｂ  下地量（下地用トナーの中間転写ベルトに付着する量）
【図１】
2020106586.tif 000003
【図２】
2020106586.tif 000004
【図３】
2020106586.tif 000005
【図４】
2020106586.tif 000006
【図５】
2020106586.tif 000007
【図６】
2020106586.tif 000008
【図７】
2020106586.tif 000009
【図８】
2020106586.tif 000010
【図９】
2020106586.tif 000011
【図１０】
2020106586.tif 000012